(57)【要約】【課題】縫ぐるみ型、枕型等の形態変位可能物であって、かつ携帯型の被接触体の全体を振動具にすることができること。【解決手段】人体に対して接触することができる或いは人体が接触することができる携帯型被接触体Ａと、該携帯型被接触体Ａに内蔵される振動伝播装置Ｂとから成り、振動伝播装置Ｂは、中央部に嵌合部１５を有する盤状嵌合支持体２と、嵌合部に一体的に組み込まれ、かつ携帯型被接触体の内部又は外部に設けた音源体６が発生する電気信号を機械的振動に変換するドライバーユニット３と、盤状嵌合支持体２の外壁に基端部４ａが取付けられると共に、半径外方向に延在する自由端部４ｂ側を任意に折り曲げることができ、しかもドライバーユニットから発振された振動を前記携帯型被接触体に全体的に拡散させる振動伝播線４と、ドライバーユニットに電気的に接続すると共に前記携帯型被接触体内に設けられた電源５とから成る人体用振動伝播具。【選択図】図１
2011071831.tif 000002
【特許請求の範囲】
【請求項１】
人体に対して接触することができる或いは人体が接触することができる携帯型被接触体Ａと、該携帯型被接触体Ａに内蔵される振動伝播装置Ｂとから成り、前記振動伝播装置Ｂは、中央部に嵌合部１５を有する盤状嵌合支持体２と、前記嵌合部に一体的に組み込まれ、かつ前記携帯型被接触体の内部又は外部に設けた音源体６が発生する電気信号を機械的振動に変換するドライバーユニット３と、前記盤状嵌合支持体２の外壁に基端部４ａが取付けられると共に、半径外方向に延在する自由端部４ｂ側を任意に折り曲げることができ、しかも前記ドライバーユニットから発振された振動を前記携帯型被接触体に全体的に拡散させる振動伝播線４と、前記ドライバーユニットに電気的に接続すると共に前記携帯型被接触体内に設けられた電源５とから成る人体用振動伝播具。
【請求項２】
請求項1に於いて、振動伝播線４は、その基端部４ａが盤状嵌合支持体２の周側壁２１に形成された複数個の取付け部１６に差し込まれた平面視Ｕ字形状のアタッチメントであり、かつ変位した形態をそのまま保持することができる剛性の材質で出来ていることを特徴とする人体用振動伝播具。
【請求項３】
請求項1に於いて、ドライバーユニット３Ａは、振動を発生する振動アクチュエータと共に、歌や音楽や音声を放出する音アクチュエータの両機能を備え、これに対して、音源体６は、携帯型のデジタルオーディオプレーヤーであり、該デジタルオーディオプレーヤー６は、携帯型被接触体に設けた収納部３０に収納され、かつ電気的接続手段を介して前記ドライバーユニットに自在に接続可能であることを特徴とする人体用振動伝播具。
【請求項４】
請求項1に於いて、振動伝播線４は、少なくとも長いものと、短いもの二種類以上を含んでいることを特徴とする人体用振動伝播具。
【発明の詳細な説明】
【技術分野】
【０００１】
本発明は人体用振動伝播具に関し、特に、人体の腰を基準として、該腰以上の部位に接触可能な携帯型被接触体に内蔵される人体用振動伝播具に関する。
【背景技術】
【０００２】
特許文献１には、家具類としての「椅子」の背面部の中央部に二枚の振動板を介して所定形状のドライバーユニットを内蔵する事項が記載されている。前記ドライバーユニットは、本願発明のドライバーユニットと同様に音源体が発生する電気的低音域の信号を機械的振動に変換するものである。この特許文献１に記載の人体用振動伝播具は、身体に直接接触する椅子の背もたれの裏側に板状振動伝達板を固定し、さらに、該板状振動伝達板の裏面に嵌合穴を有する硬質の板状振動板を固定的に重ね、前記嵌合穴にドライバーユニットを密嵌合状態に組み込む構成である。
【０００３】
上記構成の人体用振動伝播具は、ベッドのような平面的形状の家具に内蔵するのは相応しいものの、形態が変位する携帯型装着具や「縫ぐるみ」に適用することができない、実効振動面積の範囲を拡大するためには、上下の振動板を長尺状かつ幅広に形成しなければならない、という問題点があった。
【０００４】
特許文献２は、出願人が貴庁に提案したものである。この特許文献２の図３には、椅子を構成するフレームに水平方向に張設されたバネ部材があり、該バネ部材の中央部にドライバーユニットを固定する事項が記載されている。この特許文献２のリラクゼーション椅子は、振動伝播装置の実効振動面積の範囲に拡大させるためには、複数個のドライバーユニットを使用しなければならない、という問題点があった。
【０００５】
なお、特許文献３及び特許文献４には、音源体が発生する電気的低音域の信号を機械的振動に変換する振動装置の具体的構成が記載され、ドライバーユニット及びこれに類する振動装置の電気回路は、周知事項である。
【先行技術文献】
【特許文献】
【０００６】
【特許文献１】実公昭６１−３４７９５
【特許文献２】特開２００１２１２１９８
【特許文献３】特開２００１−８６５８０
【特許文献４】特開２００８−９２１２２
【発明の概要】
【発明が解決しようとする課題】
【０００７】
本発明の所期の目的は、振動伝播装置の実効振動面積の範囲に拡大させ、縫ぐるみ型、枕型等の形態変位可能物であって、かつ携帯型の被接触体の全体を振動具にすることができることである。第２の目的は、振動伝播装置を構成する振動伝播線を、平面的形状、立体的形状等の任意の形状に簡単に折り曲げることにより、例えば曲面性のある変位可能な物であって、かつ厚い部分を有する携帯型被接触体であっても、可能な限り、携帯型被接触体に振動伝播装置を内蔵させることができることである。その他、軽量化や臨場感のある人体用振動伝播具を提案することができることである。
【課題を解決するための手段】
【０００８】
本発明の人体用振動伝播具は、人体に対して接触することができる或いは人体が接触することができる携帯型被接触体Ａと、該携帯型被接触体Ａに内蔵される振動伝播装置Ｂとから成り、前記振動伝播装置Ｂは、中央部に嵌合部１５を有する盤状嵌合支持体２と、前記嵌合部に一体的に組み込まれ、かつ前記携帯型被接触体の内部又は外部に設けた音源体６が発生する電気信号を機械的振動に変換するドライバーユニット３と、前記盤状嵌合支持体２の外壁に基端部４ａが取付けられると共に、半径外方向に延在する自由端部４ｂ側を任意に折り曲げることができ、しかも前記ドライバーユニットから発振された振動を前記携帯型被接触体に全体的に拡散させる振動伝播線４と、前記ドライバーユニットに電気的に接続すると共に前記携帯型被接触体内に設けられた電源５とから成ることを特徴とする。
【０００９】
上記構成に於いて、振動伝播線４は、その基端部４ａが盤状嵌合支持体２の周側壁２１に形成された複数個の取付け部１６に差し込まれた平面視Ｕ字形状のアタッチメントであり、かつ変位した形態をそのまま保持することができる剛性の材質で出来ていることを特徴とする。また、携帯型被接触体Ａは、人に装着された状態で接触し或いは人が手で抱き抱えることにより接触されることを特徴とする。さらに、ドライバーユニット３は、振動を発生する振動アクチュエータと共に、歌や音楽や音声を放出する音アクチュエータの両機能を備え、これに対して、音源体６は、携帯型のデジタルオーディオプレーヤーであり、該デジタルオーディオプレーヤー６は、携帯型被接触体に設けた収納部３０に収納され、かつ電気的接続手段を介して前記ドライバーユニットに自在に接続可能であることを特徴とする。加えて、振動伝播線４は、少なくとも長いものと、短いもの二種類以上を含んでいることを特徴とする。
【００１０】
ここで「被接触体」は、人体の腰以上に接触可能でかつ人体により容易に運搬可能な有体物であって、その接触態様は、（ａ）人体に対して接触することができる場合と、（ｂ）人体が接触することができる場合の両方である。前者は、例えばベルト、ジャンパー、厚手の上着、リュックサック等の装着体であり、一方、後者は、縫ぐるみ、枕等人の腕により抱きかかえられるものである。
【発明の効果】
【００１１】
（Ａ）人体に対して接触することができる或いは人体が接触することができる携帯型被接触体Ａに振動伝播線４を有する振動伝播装置Ｂを内蔵させたので、実効振動面積の範囲に拡大することができ、縫ぐるみ型、枕型等の形態変位可能物であって、かつ携帯型の被接触体の全体を振動具にすることができる。また、臨場感のある人体用振動伝播具を提案することができる。
（Ｂ）振動伝播線４がドライバーユニット３の半径外方向に延在し、該振動伝播線４がドライバーユニット３の振動を広範囲に伝達する機能を有するから、ドライバーユニット３が1個のみで済む。したがって、コストの削減化を図ることができる。また、振動伝播手段が「線材」なので、軽量化を図ることもできる。さらに、その自由端部を折り曲げて係止部分にすることもできる。加えて、携帯型被接触体Ａに振動伝播装置Ｂを内蔵しても人に対して「違和感」を与えない。
（Ｃ）請求項２に記載の発明は、振動伝播線４が、その基端部４ａが盤状嵌合支持体２の周側壁２ａに形成された複数個の取付け穴１６にそれぞれ差し込まれた平面視Ｕ字形状のアタッチメントであり、かつ多方向に変位させた・或いは広げた、或いは狭めた形態をそのまま保持することができる剛性の材質であることから、振動伝播線を適宜に選択することにより、体積が大きい、縫ぐるみ、枕などのみならず、やや厚手のジャンパー、厚手の上着、厚い部分を有するリュックサック等にも適用することができる。付言すると、振動伝播線４を、平面的形状、立体的形状等の任意の形状にすることができるから、例えば曲面性のある変位可能な物であって、かつ厚い部分を有する携帯型被接触体であっても、可能な限り、振動伝播線４の所望する部位を適宜に折り曲げて、携帯型被接触体に振動伝播装置を内蔵させることができる。
（Ｃ）請求項３に記載の発明は、ドライバーユニットは、振動を発生する振動アクチュエータと共に、歌や音楽や音声を放出する音アクチュエータの両機能を備えているので、音源体の記憶部に格納されているデータを最大限に活用することができる。
（Ｄ）請求項４に記載の発明は、前記（Ｂ）の効果を有効的に実現することができる。
【図面の簡単な説明】
【００１２】
図１乃至図９は本発明の最良の実施例（第１実施例）を示す各説明図。
【図１】携帯型被接触体と振動伝播装置とを分離した状態の説明図。
【図２】背面からの説明図。
【図３】正面からの説明図。
【図４】ドライバーユニットと音源体との電気的接続状態を示す概略説明図。
【図５】アタッチメント式振動伝播線と盤状嵌合支持体の説明図。
【図６】携帯型被接触体に内蔵される振動伝播装置の説明図。
【図７】図６に於ける分解説明図。
【図８】図６に於ける８−８線概略断面説明図。
【図９】音源体を含む振動伝播装置の説明図。
【図１０】音源体を含む振動伝播装置の第２実施例の概略断面説明図。
【図１１】第２実施例の携帯型被接触体を示す説明図。
【図１２】第２実施例の概略断面説明図。
【図１３】第３実施例の携帯型被接触体を示す説明図。
【図１４】第３実施例の概略断面説明図。
【図１５】第４実施例の携帯型被接触体を示す説明図。
【図１６】第４実施例の概略断面説明図。
【図１７】第５実施例の携帯型被接触体を示す説明図。
【図１８】第５実施例の概略断面説明図。
【発明を実施するための最良の形態】
【００１３】
以下、図１乃至図９に示す本発明を実施するための最良の形態（第１実施例）により説明する。図１で示すように、第１実施例の人体用振動伝播具Ｘは、人体に対して接触することができる或いは人体が接触することができる携帯型被接触体Ａと、該携帯型被接触体Ａに内蔵される振動伝播装置Ｂとから成り、前記振動伝播装置Ｂは、中央部に嵌合部１５を有する盤状嵌合支持体２と、前記嵌合部に一体的に組み込まれ、かつ前記携帯型被接触体の内部又は外部に設けた音源体６が発生する、例えば電気的低音域の信号を機械的振動に変換するドライバーユニット３と、前記盤状嵌合支持体２の外壁に基端部４ａが取付けられると共に、半径外方向に延在する自由端部４ｂ側を任意に折り曲げることができ、しかも前記ドライバーユニットから発振された振動を前記携帯型被接触体に全体的に拡散させる振動伝播線４と、前記ドライバーユニットに電気的に接続すると共に前記携帯型被接触体内に設けられた電源５とから成る。
【００１４】
図１に於いて、Ｘは人体用振動伝播具で、この人体用振動伝播具Ｘの基本的構成は、縫ぐるみ形態の携帯型被接触体Ａと、この携帯型被接触体Ａに内蔵される振動伝播装置Ｂとから成る。そして、前記振動伝播装置Ｂは、携帯型被接触体Ａに内蔵される盤状嵌合支持体２、これに合体するドライバーユニット３、前記盤状嵌合支持体２に半径外方向に延在するように連結する複数の振動伝播線４、内蔵電源５、携帯型被接触体Ａの内部又は外部（本実施例）に設けられる音源体６とから構成されている。
【００１５】
まず、携帯型被接触体Ａは、図１乃至図３で示すように、クッション性の「縫ぐるみ」である。縫ぐるみの形態は、例えば漫画、映画、アニメーション、遊園地等に登場する人物、動物、ロボット等である。縫ぐるみの形態や大きさは、特に限定されるものではなく、人が手で容易に抱きかかえることができるものであれば良い。
【００１６】
この携帯型被接触体Ａは、普通一般の縫ぐるみと同様に厚みがあると共に、素材自体に弾力性がある。本実施例の携帯型被接触体Ａは、図１及び図２で示すように裏側の中央部にスライドファスナー１１が設けられている。スライドファスナー１１は、務歯を有する左右一対のテープ１１ａ、１１ａと、これらの務歯を開閉するスライダー１１ｂと、該スライダーに設けられた操作片１１ｃとから成る。
【００１７】
したがって、操作片１１ｃを上下方向に引くと、図１で示すように携帯型被接触体Ａの開口部１２は開閉する。この開口部１２から人体用振動伝播具Ｘを構成する携帯型被接触体Ａに振動伝播装置Ｂを内蔵することができる。但し、音源体６は、携帯型被接触体Ａの外面に設けた収納部に収納することもできる。また、修理の際は、前記開口部１２からドライバーユニット３を備えた盤状嵌合支持体２等の装置の主要部を取出すことができる。
次に、盤状嵌合支持体２は、図５で示すように平面視六角形の環状板に形成され、その中央部には任意形状の嵌合部１５が形成されている。しかして、嵌合部１５は、図８及び図９で示すように、下部側の大径孔１５ａと、この大径孔１５ａに連通する上部側の小径孔１５ｂとから成る。また、盤状嵌合支持体２の周方向の側壁２ａには、取付け穴１６が複数個形成されている。取付け穴１６の数は、例えば六角形を形成する周方向の各側壁にそれぞれ一対形成されているので、図５で示すように合計１２個である。
【００１８】
ところで、盤状嵌合支持体２の平面視の形状は六角形の環状板であるが、その形状は特に問わない。したがって、周方向の側壁２ａが五角形、三角形、矩形、円形等の環状板或いはこれに類するものであっても良い。要は、盤状の中央部にドライバーユニット３を嵌め込むことができる凹所或いは貫通状の嵌合部が形成され、かつ、周方向の各側壁に単数又は複数の振動伝播線４の基端部４ａを取付けることができる取付け穴（挿入穴）、挿入溝、弾性係合爪片等の取付け部１６が設けられていれば良い。なお、盤状嵌合支持体２は、軽量性を考慮して硬質の合成樹脂材（ＡＢＳ等）で成形されている。
【００１９】
次に、低音域の信号を機械振動に変換するバイブロトランスデューサー、換言すると、電気信号−機械信号変換器に相当する心臓部のドライバーユニット３は、例えば円形或いは角型の取付けベース板２１と、この取付けベース板の上面に一体成形された円形のケーシング２２と、低音域の信号を機械振動に変換する永久磁石２５、振動コイル２６等の主な部材とから成り、前記取付けベース板２１の周縁部には、固着具２３用の貫通小孔２４が複数個形成されている。
【００２０】
しかして、前記ケーシング２２内には、図９に示すように、永久磁石２５、振動コイル２６、複数個の端子を含む接続端子２７等から構成され、前記接続端子２７には、入力端子２８ａを有するドライバーユニット側の電気コード２８が接続されている。
周知のように、前記振動コイル２６は、電流（振動用信号）を流すことで磁性を帯びて磁力を発生させ、前記永久磁石２５の磁性による相互作用によってケーシング２２並びに取付けベース板２１に機械的な振動を与えるものである。すなわち、ドライバーユニット３は、携帯型被接触体Ａの内部又は外部に設けた音源体６が発生する低音域の信号を機械的振動に変換する。携帯型被接触体Ａは、このような公知・周知・新規のドライバーユニット３を、少なくとも一つ内蔵している。
【００２１】
ドライバーユニット３は、盤状嵌合支持体２の嵌合部１５に密嵌合状態に組み込まれ、前述した複数個の固着具２３及び貫通小孔２４を介して盤状嵌合支持体２に一体的に固定され、一つの振動ユニットを構成する。付言すると、本実施例では、図７に示すように、前記嵌合部１５の大径部１５ａに角型の取付けベース板２１が略面一状態に嵌入し、同時に嵌合部１５の小径部１５ｂに永久磁石２５、振動コイル２６等を内蔵すると共に、内蔵電源５に電気的に接続する円形のケーシング２２が密に合体嵌合して一つの振動ユニットと成る。
【００２２】
次に、振動伝播線４は、ドライバーユニット３の周方向の側壁に相当する外壁の取付け穴（挿入穴や挿入溝）１６に基端部４ａが取付けられると共に、半径外方向に延在する自由端部４ｂ側を任意に折り曲げることができ、しかも前記ドライバーユニット３から発振された振動を携帯型被接触体Ａに全体的に拡散させる。携帯型被接触体Ａは、その素材自体が弾性或いはクッション性を有する部材なので、携帯型被接触体Ａの素材全体が振動伝播線４を介して全体的な振動体と成る。
【００２３】
しかして、本実施例の振動伝播線４は、図５で示すように、一番長いもの４Ａと、一番短いもの４Ｃと、その中間に位置するもの４Ｂに区分けされ、例えば図７に如く盤状嵌合支持体２に放射状に取付けられる。付言すると、振動伝播線４は、その基端部４ａが盤状嵌合支持体２の周側壁２ａに形成された複数個の取付け穴１６にそれぞれ差し込まれた平面視Ｕ字形状のアタッチメントであり、かつ多方向に変位させた・或いは広げた、或いは狭めた形態をそのまま保持することができる剛性の材質で出来ている。
【００２４】
ここで振動伝播線４の変位に関して説明すると、図７に示した一番長いもの４Ａは、動物の頭部内に位置付けられるので、極力動物の頭部の相似形状に類似するように自由端部４ａ側を円形状に外拡変位させる。また、中間に位置するもの４Ｂは、動物の左右の腕内と脚部内にそれぞれ位置付けられるので、各取付基端部４ａ付近を適宜に折り曲げる。その結果、図１等で示すように、電源５と音源体６を除く振動伝播装置Ｂの形状は、人体を連想するような骨組状態となる。
【００２５】
最後に、音源体６は、携帯型のデジタルオーディオプレーヤーである。デジタルオーディオプレーヤー６は、そのケース内にＩＣを内臓し、少なくともデジタル方式の音楽ファイルを再生する機能を有する。該デジタルオーディオプレーヤー６は、第１実施例では、携帯型被接触体Ａの表１ａに設けたポケット型収納部３０に自由に収納され、かつ、該ポケット型収納部３０に連通する連通孔３１を通るドライバーユニット３側の電気的接続手段（電気コード２８、入力端子２８ａ）に対して、デジタルオーディオプレーヤー６側の電気的接続手段（接続コード６ａ、コネクタ６ｂ）を自在に接続することにより電気的に接続する。付言すると、携帯型被接触体Ａに内蔵されたドライバーユニット３と前記ポケット型収納部３０に収納される携帯型のデジタルオーディオプレーヤー６は、両方の電気的接続手段を介して自由自在に接続する。
【実施例】
【００２６】
発明の実施の形態で示した実施例に於いて、振動伝播装置Ｂは、携帯型被接触体Ａの開口部１２を介して携帯型被接触体Ａに内蔵させることができるが、音源体６は外部に設けることも可能である（図３参照）。第１実施例の携帯型被接触体Ａは、「縫いぐるみ型」の形態なので、人体が腕でもって抱きかかえるように接触することができる。また、振動伝播線４の形状や太さは、任意に設計変更することができる事項である。さらに、ドライバーユニット３は、音源体６が発生する電気信号を機械的振動に変換するものであるが、前記電気信号は、低音域の信号乃至高音域の信号でも良い。
【００２７】
次に、この欄では、音源体を含む振動伝播装置Ｂの第２実施例と、携帯型被接触体の他の実施例を説明する。なお、第２実施例及び携帯型被接触体の他の実施例をそれぞれ説明するにあたって、第１実施例と同一の部分には、同一の符号を付して重複する説明を割愛する。
【００２８】
まず、図１０は音源体を含む振動伝播装置Ｂ１の第２実施例を示す概略断面説明図である。この振動伝播装置Ｂ１が第１実施例の振動伝播装置Ｂと主に異なる点は、ドライバーユニット３Ａは、その円形のケーシング２２Ａ内に振動を発生する振動アクチュエータ２５，２６と共に、歌や音楽や音声を放出する音アクチュエータ４０を内装していることである。したがって、音アクチュエータ４０は、スピーカー４１を有している。この第２実施例の振動伝播装置Ｂ１を第１実施例の振動伝播装置Ｂに代えて携帯型被接触体Ａに内蔵すると、該携帯型被接触体Ａからは振動のみならず、歌や音楽や音声が放出されるという利点がある。
【００２９】
次に、図１１及び図１２は第２実施例の携帯型被接触体Ａ１を示す説明図である。この携帯型被接触体Ａ１は、ジャンパー或いは厚手の上着である。第１実施例の振動伝播装置Ｂ又は第２実施例の振動伝播装置Ｂ１のいずれか一方が、この携帯型被接触体Ａ１のやや肉厚の背面部に内蔵されている。
【００３０】
ところで、本実施例の振動伝播線４は、ドライバーユニット（３、３Ａ）を有する盤状嵌合支持体２の全ての取り付け部１６に三種類の振動伝播線４Ａ、４Ｂ、４Ｃをそれぞれ取付ける必要はない。第２実施例の携帯型被接触体Ａ１は、「上着型」なので、盤状嵌合支持体２の周側壁２Ａの取付け穴１６に、例えば一番短い振動伝播線４Ｃと、中間の振動伝播線４Ｂを適宜に選択して連結している。
【００３１】
付言すると、上着型の携帯型被接触体Ａ１には頭部に相当する部位が存在しないので、それに相当する一番長い振動伝播線４Ａは盤状嵌合支持体２に連結されていない。また、携帯型被接触体Ａ１の長袖の部分は自由に動く必要があるので、長袖の部分に振動伝播線が位置するように盤状嵌合支持体２に長い一番長い振動伝播線４Ａが連結されていない。
なお、この第２実施例のドライバーユニット（３、３Ａ）の接続手段２８，２８ａは、収納部３０に連通する連通孔からではなく、携帯型被接触体Ａ１の上縁部の適宜個所から引き出されている。このように、ドライバーユニット（３、３Ａ）の接続手段２８，２８ａは、携帯型被接触体Ａ１の適宜個所から外部へと引き出すことができる。
【００３２】
次に、図１３及び図１４は第３実施例の携帯型被接触体Ａ２を示す説明図である。この携帯型被接触体Ａ２は枕である。枕型の携帯型被接触体Ａ２は、縫いぐるみ型の携帯型被接触体Ａと同様に、人の腕により抱きかかえることができるので、ここでは、人体が接触することができる場合の類型に含めている。しかして、この携帯型被接触体Ａ２にも、第１実施例の振動伝播装置Ｂ又は第２実施例の振動伝播装置Ｂ１のいずれか一方が内蔵されている。
【００３３】
また、ドライバーユニット（３、３Ａ）の接続手段２８，２８ａは、収納部３０に連通する連通孔３１から外部へ引き出され、枕型の携帯型被接触体Ａ２の一側壁に設けた収納部３０に音源体６を適宜に収納することができる。この振動伝播装置（Ｂ、Ｂ１）を構成する複数本の振動伝播線４は、例えば全て中間の振動伝播線４Ｂが使用されている。そして、振動伝播装置（Ｂ、Ｂ１）の形状は、全体として「蟹」の印象を与える。このように、複数本の振動伝播線４については、同一の長さだけのものを使用することもできる。
【００３４】
次に、図１５及び図１６は第４実施例の携帯型被接触体Ａ３を示す説明図である。この携帯型被接触体Ａ３は、人体の腰や腹に巻きつけることができるやや肉厚のベルトである。この携帯型被接触体Ａ３にも、第１実施例の振動伝播装置Ｂ又は第２実施例の振動伝播装置Ｂ１のいずれか一方が内蔵されている。この振動伝播装置（Ｂ、Ｂ１）を構成する複数本の振動伝播線４は、例えば一番長い振動伝播線４Ａのみが左右一対使用されて、それらの自由端部４ａ、４Ａ側は、腰や腹にフイットするように内側にやや湾曲状に折り曲げ形成している。
【００３５】
最後に、図１７及び図１８は第５実施例の携帯型被接触体Ａ４を示す説明図である。この携帯型被接触体Ａ４は、人が肩に背負うことができるリュックサックである。この携帯型被接触体Ａ４の内側の肉厚部分に、第１実施例の振動伝播装置Ｂ又は第２実施例の振動伝播装置Ｂ１のいずれか一方が内蔵されている。この振動伝播装置（Ｂ、Ｂ１）を構成する複数本の振動伝播線４は、三種類の振動伝播線４Ａ、４Ｂ、４Ｃが適宜に選択されて使用されている。
【００３６】
以上のように、本実施例の「被接触体」は、人体の腰以上に接触可能でかつ人体により容易に運搬可能な有体物であって、その接触態様は、（Ａ）人体に対して接触することができる場合と、（Ｂ）人体が接触することができる場合の両方である。前者は、例えばベルト、リュックサック等の装着体であり、一方、後者は、縫ぐるみ、枕等の人の腕により抱きかかえられるものである。
【産業上の利用可能性】
【００３７】
本発明は、人体の腰を基準として、該腰以上の部位に接触可能な携帯型被接触体に内蔵される人体用振動伝播具を製造・販売する業界で利用される。
【符号の説明】
【００３８】
Ｘ…人体用振動伝播具、Ａ〜Ａ４…携帯型被接触体、Ｂ、Ｂ１…振動伝播装置、２…盤状嵌合支持体、２ａ…周方向の側壁、３…ドライバーユニット、４…振動伝播線、４ａ…基端部、４Ａ…自由端部、４ａ…一番長いもの、４Ｃ…一番短いもの、４Ｂ…中間のもの、５…電源、６…音源体、１１…開閉手段、１２…開口部、１５…嵌合部、１６…取付け部、２１…取付けベース板、２２…ケーシング、２３…固着具、２５…永久磁石、２６…振動コイルド、２８…ドライバーユニット側の電気コード、３０…収納部。
【図１】
2011071831.tif 000003
【図２】
2011071831.tif 000004
【図３】
2011071831.tif 000005
【図４】
2011071831.tif 000006
【図５】
2011071831.tif 000007
【図６】
2011071831.tif 000008
【図７】
2011071831.tif 000009
【図８】
2011071831.tif 000010
【図９】
2011071831.tif 000011
【図１０】
2011071831.tif 000012
【図１１】
2011071831.tif 000013
【図１２】
2011071831.tif 000014
【図１３】
2011071831.tif 000015
【図１４】
2011071831.tif 000016
【図１５】
2011071831.tif 000017
【図１６】
2011071831.tif 000018
【図１７】
2011071831.tif 000019
【図１８】
2011071831.tif 000020